(57)【特許請求の範囲】
【請求項１】
ヘッドタンクに貯留されている測定水を落差により測定槽に流す測定水流路と、該測定水流路の所定位置に設けられ、前記測定槽に導入する注入口からの測定水注入流量を制御する調整弁と、該調整弁よりも上部位置の前記測定水流路に連結分配し、前記調整弁の制御により測定槽に導入する余剰となった測定水を排水させるための測定水バイパス流路と、該測定水バイパス流路の所定位置であって、排水方向に対して上部方向に連結分配され前記ヘッドタンクに貯留する測定水の水面位置又はその近傍位置までの高さに形成した大気開放ラインと、からなり、前記ヘッドタンクの水面位置と前記測定水バイパス流路が前記測定水流路に連結分配する位置との関係は、測定水バイパス流路を流れる測定水バイパス流量（Ｑ）が充分確保できる落差（Ｈ）に設定し、前記ヘッドタンクの水面位置と前記注入口との位置関係は、測定水注入流量が充分に確保できるように、前記ヘッドタンクの水面位置から前記測定水バイパス流路までの落差（Ｈ）と前記測定水バイパス流路が分配した位置から前記注入口までの落差（Ｈ２）をプラスした測定水注入落差Ｈ１（Ｈ＋Ｈ２）の水圧が、前記注入口から前記測定水バイパス流路の分配位置の間においては、測定水バイパス流量（Ｑ）により発生する背圧（Ｐ）よりも大きくなるように、前記測定水バイパス流路の分配位置から前記注入口までの落差（Ｈ２）を設定することを特徴とする液体分析計。
【発明の詳細な説明】
【０００１】
【発明の属する技術分野】
本発明は、液体分析計に関するものであり、詳しくは、アルカリ度計の測定水サンプリング部において、特に測定水バイパス流路に改良を加えて測定水の流れ状態を良くした液体分析計に関する。
【０００２】
【従来の技術】
従来技術における液体分析計は、図２に示すように、測定水を入力する手動弁（ＢＶ）と、砂ろ過装置であるヘッドタンク（ＨＴ）と、ヘッドタンク（ＨＴ）の測定水を落差により測定槽１１に流す測定水流路１２と、この測定水流路１２に設けた測定水注入電磁弁である調整弁ＳＶと、この調整弁（ＳＶ）よりも上流側位置で測定水流路１２と分配した測定水バイパス流路１３と、測定水バイパス流路１３の中間位置に設けた流量調整弁（Ｖ１）と、測定水バイパス流路１３に導入された測定水を排出する排水部１４とから構成されている。
測定水バイパス流路１３は、測定の時間遅れ、無駄容量を少なくする目的で設けられている。
【０００３】
このような構成からなる液体分析計において、測定水は、手動弁（ＢＶ）を介してヘッドタンク（ＨＴ）に導入され、図示しないヘッドタンクのオーバーフロー口から測定水流路１２に導入される。測定水流路１２に導入された測定水はアルカリ度測定のために調整弁（ＳＶ）の開閉により注入口１５から測定槽１１へ導入される。
【０００４】
このように、ヘッドタンク（ＨＴ）に導入された測定水は、一定の落差である測定水注入落差（ヘッド差）（Ｈ１）で、アルカリ度検出器の測定槽１１に導入され、余剰の測定水は測定水注入落差（Ｈ１）よりも大きな落差である排水落差（Ｈ３）で、測定水バイパス流路１３を経由して排水される。
【０００５】
ここで、測定水バイパス流路１３を流れる測定水バイパス流量（Ｑ）は、ヘッドタンク（ＨＴ）の貯留水の水位面から排水部１４まで伸びている測定水バイパス流路１３の出口までの落差である排水落差（Ｈ３）により生じる圧力と配管抵抗により決まる。
【０００６】
しかし、測定水バイパス流量（Ｑ）が大きくなると、ヘッドタンク（ＨＴ）の貯留水の水位面から測定槽１１の測定水流路１２の注入口１５までの落差である測定水注入落差（Ｈ１）による水圧が調整弁（ＳＶ）の制御等によって発生する背圧（Ｐ）よりも小さくなり、次の関係が成立する。
【０００７】
（測定水注入落差（Ｈ１）の水圧
＜（測定水バイパス流量（Ｑ）による背圧（Ｐ））、
【０００８】
測定水流路１２側の背圧（Ｐ）が測定水注入落差（Ｈ１）による圧力よりも大きくなると、測定水流路１２を通して測定槽１１側への測定水の導入ができなくなる。
【０００９】
そこで、測定槽１１への測定水導入量を確保するために、測定水バイパス流路１３に流量調整弁（Ｖ１）を設けて測定水バイパス流路１３の測定水バイパス流量（Ｑ）を調整して、下記に示す関係、即ち、下記の式に示すように、測定水注入落差（Ｈ１）の圧力が背圧（Ｐ）よりも大きくなるようにする。（測定水注入落差（Ｈ１）の水圧＞（測定水バイパス流量（Ｑ）による背圧（Ｐ））
【００１０】
【発明が解決しようとする課題】
しかしながら、上述した従来技術における液体分析計において、測定水流路を流れる測定水と余分な測定水を流す測定水バイパス流路との関係において、測定水流路に測定水を流すようにするには、測定水バイパス流路に流れる測定水の測定水バイパス流量（Ｑ）を調整する流量調整弁（Ｖ１）が必要であるが、この流量調整弁（Ｖ１）の調整が簡便でないという問題がある。
【００１１】
また、測定水流路において円滑に測定水を流す構成でないと測定水流路で発生した気泡が留まり、配管抵抗となって測定槽への測定注入が確保できなくなるという問題もある。
【００１２】
従って、液体分析計において、測定水バイパス流路に流す測定水の流量調整を必要としない簡便な方法にすること、測定水バイパス流量（Ｑ）を多くしても測定水流路に流れる測定水に影響を与えない構造、測定の時間遅れを軽減できる構造、測定水流路で発生した気泡を押し流して、配管抵抗とならないようにする構造に解決しなければならない課題を有する。
【００１３】
【課題を解決するための手段】
上記課題を解決するために、本発明に係る液体分析計は、次に示す構成にすることである。
【００１４】
ヘッドタンクに貯留されている測定水を落差により測定槽に流す測定水流路と、該測定水流路の所定位置に設けられ、前記測定槽に導入する注入口からの測定水注入流量を制御する調整弁と、該調整弁よりも上部位置の前記測定水流路に連結分配し、前記調整弁の制御により測定槽に導入する余剰となった測定水を排水させるための測定水バイパス流路と、該測定水バイパス流路の所定位置であって、排水方向に対して上部方向に連結分配され前記ヘッドタンクに貯留する測定水の水面位置又はその近傍位置までの高さに形成した大気開放ラインと、からなり、前記ヘッドタンクの水面位置と前記測定水バイパス流路が前記測定水流路に連結分配する位置との関係は、測定水バイパス流路を流れる測定水バイパス流量（Ｑ）が充分確保できる落差（Ｈ）に設定し、前記ヘッドタンクの水面位置と前記注入口との位置関係は、測定水注入流量が充分に確保できるように、前記ヘッドタンクの水面位置から前記測定水バイパス流路までの落差（Ｈ）と前記測定水バイパス流路が分配した位置から前記注入口までの落差（Ｈ２）をプラスした測定水注入落差Ｈ１（Ｈ＋Ｈ２）の水圧が、前記注入口から前記測定水バイパス流路の分配位置の間においては、測定水バイパス流量（Ｑ）により発生する背圧（Ｐ）よりも大きくなるように、前記測定水バイパス流路の分配位置から前記注入口までの落差（Ｈ２）を設定することを特徴とする液体分析計。
【００１５】
このように、測定水バイパス流路に大気開放ラインを設けると共に、測定水バイパス流量（Ｑ）により発生する背圧（Ｐ）よりも大きくなるように、測定水バイパス流路の分配位置から注入口までの落差（Ｈ２）を設定することにより、測定水バイパス流路側の流量を調整しなくとも背圧（Ｐ）を防止して測定水流路から測定槽に測定水を流すことが可能になる。
【００１６】
【発明の実施の形態】
次に、本発明に係る液体分析計の実施形態について、図面を参照して説明する。尚、従来技術と同様のものには同一符号をつけて説明する。
【００１７】
本発明の第１の実施形態の液体分析計は、図１に示すように、測定水を入力する手動弁（ＢＶ）と、砂ろ過装置であるヘッドタンク（ＨＴ）と、ヘッドタンク（ＨＴ）の測定水を落差により測定槽１１に流す測定水流路１２と、この測定水流路１２に設けた電磁弁である測定水注入調整弁（ＳＶ）と、この測定水注入調整弁（ＳＶ）よりも上流側位置で測定水流路１２と直交する方向に連結分配した測定水バイパス流路１３と、測定水バイパス流路１３が下方向に曲げている位置に上方向に突出させ上端部を大気圧に開放した大気開放ライン１６とから構成されている。
【００１８】
この大気開放ライン１６は、ヘッドタンク（ＨＴ）に貯留する測定水の水面位置又はその近傍位置までの高さに形成されている。又、測定水バイパス流路１３は、測定時間の遅れ、無駄容量を少なくする目的で設けられている。
【００１９】
このような構成の液体分析計は、先ず、測定水は、手動弁（ＢＶ）を介してヘッドタンク（ＨＴ）（又は砂ろ過装置（ＳＦ））に導入され、図示しないオーバーフロー口から排水される。
【００２０】
ヘッドタンク（ＨＴ）に導入された測定水は、一定の落差であるヘッド差（Ｈ１）で、測定水注入調整弁（ＳＶ）の開閉により、アルカリ度検出器の測定槽１１に注入口１５から導入されると共に、余分な測定水は測定水バイパス流路１３を経由して排水される。
【００２１】
ここで、測定水バイパス流路１３に大気開放ライン１６が設けてあるため、落差は、ヘッドタンク（ＨＴ）の水面位置から測定水バイパス流路１３の連結分配位置（＝大気開放された位置）までの落差（Ｈ）と、測定水バイパス流路１３の分配位置から注入口１５までの落差（Ｈ２）に分離することができる。
【００２２】
そして、この落差を設定するために、先ず、ヘッドタンク（ＨＴ）の水面位置と測定水バイパス流路１３との位置関係は、測定水バイパス流路１３を流れる測定水バイパス流量（Ｑ）が充分確保できる落差（Ｈ）に設定する。
【００２３】
次に、ヘッドタンク（ＨＴ）の水面位置と測定槽１１の注入口との位置関係は、測定水注入流量が充分に確保できるように、ヘッドタンク（ＨＴ）の水面位置から測定水バイパス流路１３が連結分配した位置までの落差（Ｈ）と測定水バイパス流路１３が連結分配した位置から注入口１５までの落差（Ｈ２）をプラスした測定水注入落差Ｈ１（Ｈ＋Ｈ２）の水圧が、注入口１５から測定水バイパス流路１３の連結分配位置の間においては、測定水バイパス流量（Ｑ）により発生する背圧（Ｐ）よりも大きくなるように、測定水バイパス流路１３の連結分配位置から注入口１５までの落差（Ｈ２）を設定する。
【００２４】
このように、測定水バイパス流路１３に大気開放ライン１６を設けると共に、ヘッドタンク（ＨＴ）の水面位置、測定水注入調整弁（ＳＶ）、測定水バイパス流路１３のそれぞれに所定の落差を持たせるような位置関係に設定すれば、測定水バイパス流路１３を流れる測定水バイパス流量（Ｑ）を多くしても測定水流路１２に発生する背圧（Ｐ）に基づく弊害を除去できるばかりでなく、従来技術で説明した測定水バイパス流路に流量調整弁を設ける必要がなくなり、その分安価に構成することができる。
【００２５】
また、このように測定水バイパス流量（Ｑ）を多くしても測定水流路１２に発生する背圧（Ｐ）の影響を受けないことから測定水流路１２における測定時間の遅れを軽減することができ、又、気泡、汚れ（詰まり）の影響も軽減することが可能である。
【００２６】
尚、上記の実施例においては、アルカリ度計の測定水サンプリングに適用した構造となっているが、これに限定されることなく測定の時間遅れ、無駄な容量を少なくする目的で測定水の測定水バイパス流路を有する液体分析計に応用できることは勿論のことである。
【００２７】
【発明の効果】
以上説明したように、本願発明の液体分析計は、測定水バイパス流路に大気開放ラインを設けると共に、測定水を貯留するヘッドタンク、測定槽への注入口の高低の位置関係を設定して所定の落差になるように設定したことにより、測定水バイパス流路に流量調整弁を取り付ける必要がなくなると共に、測定水バイパス流量（Ｑ）を多くすることが可能であるから、測定の時間遅れを軽減すること、気泡、汚れ等の影響を軽減することができ、且つ流量調整弁を不要とすることができるため、その分安価に構成することができるという効果がある。
【図面の簡単な説明】
【図１】  本願発明に係る液体分析計を示した略示的構成図である。
【図２】  従来技術における液体分析計を示した略示的構成図である。
【符号の説明】
１１      測定槽
１２      測定水流路
１３      測定水バイパス流路
１４      排水部
１５      注入口
１６      大気開放ライン
【図１】
0004192445.tif 000002
【図２】
0004192445.tif 000003